(57)【要約】      （修正有）【課題】複数の装着方法を適用できるリング状アクセサリーを提供する。【解決手段】リング状アクセサリーは、紐状に形成され、一端に係合具１２が設けられるとともに、他端に係合具１２に係合固定できる被係合具１３が設けられた本体部１０と、中央に第二の係合具２４と第二の係合具２４に係合固定した第二の被係合具２５とからなる連結部を有し、一端に本体部１０の係合具１２に係合固定した被係合具２３が設けられ、他端に本体部１０の被係合具１３に係合固定した係合具２２が設けられる装着補助部２０とから構成する。【選択図】図２
0003176921.tif 000002
【実用新案登録請求の範囲】
【請求項１】
紐状に形成される本体部であって、一端に係合具が設けられるとともに、他端に当該係合具に係合固定できる被係合具が設けられた本体部と、
中央に第二の係合具と当該第二の係合具に係合固定した第二の被係合具とからなる連結部を有し、一端に前記本体部の前記係合具に係合固定した被係合具が設けられ、他端に前記本体部の前記被係合具に係合固定した係合具が設けられる装着補助部と
を有し、
前記係合具と前記被係合具を係合させる手順数が、前記第二係合具と前記第二被係合具とを係合させる手順数と比べて同じか少ないものである
リング状アクセサリー。
【請求項２】
前記係合具は内径が弾性体により可変に形成されたリング体から形成され、前記被係合具は、前記弾性体を押し広げることで広がった内径を通る一方で、前記弾性体により小さくなった内径を通ることができないボール部と、当該ボール部を固定する前記リングを通らない板状部とから形成される
請求項１又は２に記載のリング状アクセサリー。
【請求項３】
請求項１に記載の装着補助部。
【考案の詳細な説明】
【技術分野】
【０００１】
本考案は、ブレスレットやネックレスなどのリング状に形成されるアクセサリーに関し、特に、端部同士の連結部分に特徴を有するものに関する。
【背景技術】
【０００２】
ブレスレットやネックレスなどのリング状に形成されるアクセサリーでは、手や頭よりも小さな輪を形成する場合がある。このようなリング状のアクセサリーを手首や首に装着する方法として、紐状体の両端を、留め具を用いて係合固定することでリング状とするものがある。留め具としては、閉じたリングを被係合具とし、レバーを引くことでＣ状に開くリングや、被係合具のリングの外径よりも長い横棒を有するＴ字状の金具を係合部とするものや、一方に穴が設けられた被係合具に、この穴に入るピンを係合具とするものなどがある。
【考案の概要】
【考案が解決しようとする課題】
【０００３】
ところで、留め具の係合は人によって得て不得手があり、特に片手で係合させる必要のあるブレスレッドでは個人差が大きい。一方で、留め具のデザインにも人により好みがあり、留め具の係合は不得意であっても、デザイン上は気に入ったものを用いたいような場合もある。
本考案はこのような問題に鑑み、リング状のアクセサリーにおいて複数の装着方法を適用できるようにすることを課題とする。
【課題を解決するための手段】
【０００４】
上記課題を解決するために、本考案は次のような構成を有する。
請求項１に記載の考案は、紐状に形成される本体部であって、一端に係合具が設けられるとともに、他端に当該係合具に係合固定できる被係合具が設けられた本体部と、中央に第二の係合具と当該第二の係合具に係合固定した第二の被係合具とからなる連結部を有し、一端に前記本体部の前記係合具に係合固定した被係合具が設けられ、他端に前記本体部の前記被係合具に係合固定した係合具が設けられる装着補助部とを有するリング状アクセサリーであり、前記係合具と前記被係合具を係合させる手順数が、前記第二係合具と前記第二被係合具とを係合させる手順数と比べて同じか少ないものである。なお、互いに連結できる係合具と被係合具とはいずれを係合具、被係合具と捉えるかは任意であり、例えば、リングとナスカンとからなる留め具において、リングを係合具としナスカンを被係合具としても、リングを被係合具としナスカンを係合具としてもよい。これは第二係合具と第二被係合具においても同様である。
請求項２に記載の考案は、前記リング状アクセサリーにおいて、前記係合具は内径が弾性体により可変に形成されたリング体から形成され、前記被係合具は、前記弾性体を押し広げることで広がった内径を通る一方で、前記弾性体により小さくなった内径を通ることができないボール部と、当該ボール部を固定する前記リングを通らない板状部とから形成されるものである。
請求項３に記載の考案は、請求項１に記載の装着補助部である。
【考案の効果】
【０００５】
請求項１に記載の考案は、本体部の両端と装着補助部の両端のそれぞれに係合具と被係合具とによる第一の留め具が構成されるとともに、装着補助部の連結部が第二の留め具を構成するものであり、第一の留め具は左右対称に形成されるので第二の留め具よりも目立たず、これに挟まれる第二の留め具が際立ち、第二の留め具をデザイン上好ましいものとすることでデザイン的な満足を得ることができる。そして、第一の留め具は第二の留め具よりも係合させる手順が同等若しくは少ないので、着脱は第一の留め具を主に利用すれば、第二留め具のデザインに関わらず比較的容易に着脱を行える。即ち、使用者にとってデザイン的な満足感と、係合させやすさという利便性とを同時に実現することが可能となる。
請求項２に記載の考案は、係合具に被係合具を押し付けることで比較的簡単に係合させることができるとともに、係合した状態がリングから球体が突出した形状となりデザイン上あまり目立たないので、装着補助具の連結部を視覚的に際立たせることができる。
請求項３に記載の考案は、複数種類の装着補助部を用意することで、一つの本体部に対して、適宜交換して使用することができ、使用者は多くのバリエーションを楽しむことができる。
【図面の簡単な説明】
【０００６】
【図１】実施形態に係るリング状アクセサリーの平面図である。
【図２】実施形態に係るリング状アクセサリーの分解図である。
【図３】（ａ）は係合具と被係合具の拡大斜視図であり、（ｂ）は係合具と被係合具を係合させた状態を示す拡大斜視図である。
【図４】（ａ）（ｂ）ともに、装着補助部の変形例を示す平面図である。
【考案を実施するための最良の形態】
【０００７】
以下、本考案の実施の形態について、図面を参照しながら説明する。
図１に実施形態に係るリング状アクセサリーＸの平面図を示し、図２にリング状アクセサリーXの分解図を示す。リング状アクセサリーＸは本体部１０と装着補助部２０とから構成される。リング状アクセサリーＸはブレスレッドとして使用されるものである。
本体部１０は、ビーズ１１を図示しないワイヤーを通すことで一体に形成したものであり、一端に係合具１２、他端に係合具１２に係合する被係合具１３が連結固定されている。図３（ａ）に係合具１２、被係合具１３の拡大斜視図を示す。係合具１２は内周に溝が形成されたリング体の外枠１２ａの内部にバネにより内側に押圧される互いに向かい合って配置される２つの狭持片１２ｂが設けられたものである。狭持片１２ｂが動くことで係合具１２の最小内径は変化することができる。被係合具１３は係合具１２の外枠１２ａの穴を通ることができるが、狭持片１２ｂが最も狭い状態にあるときは通れない大きさのボール体１３ａとボール体１３ａを固定する、外枠１２ａの穴を通ることができない板体１３ｂとから構成される。係合具１２に被係合具１３を係合させる場合には、係合具１２の中央の穴に、被係合具１３のボール体１３ａを押し付けるようにする。これによりボール体１３ａは図３（ｂ）に示すように係合具１２の狭持片１２ｂを押し広げることで穴を通り抜ける。ボール体１３ａが狭持片１２ｂを通り抜けると狭持片１２ｂは元の幅に戻ることになり、力を加えないとボール体１３ａは穴から抜けなくなり係合が完了する。係合具１２と被係合具１３とからなる留め具は、図３（ｂ）に示すように係合した状態でリングとボールの組み合わせからなり、あまり目立つことがなく、また、一手順で比較的簡易に係合させることが可能である。
【０００８】
装着補助部２０は、第一部分２０Aと第二部分２０Ｂとから構成される。第一部分２０Ａは、上記被係合具１３と同じものである被係合具２３に棒にリングが溶接された別の係合具である第二係合具２４が連結されたものである。第二部分２０Ｂは、上記係合具１２と同じものである係合具２２に第二係合具２３の棒体の長さよりも内径が小さく、かつ第二係合具２３が通ることができる内径を有する大リングに小さなリングを溶接した別の被係合具である第二被係合具２５が連結されたものである。第二係合具２４と第二被係合具２５とを係合させるには、第二係合具２４を棒体の先端から第二被係合具２５の大リング内に通し、その後棒体を大リングから抜けないように回転させて図１に示すような状態とする。第二係合具２４と第二被係合具２５は装着補助部２０の連結部を構成する。第二係合具２４と第二被係合具２５とからなる第二の留め具は係合させるには二手順が必要となり、片手で操作することが困難であるが形状に特徴があり、装飾的に好まれる場合が多い。第一部分２０Ａには本体部１０の被係合具１３と同じ被係合具２３が連結されているので、こちらは本体部１０の係合具１２に係合固定し、第二部分２０Bには本体部１０の係合具１２と同じ係合具２２が連結されているので、こちらは本体部の被係合具１３に係合固定することで、図１に示すようなリング状アクセサリーＸを形成することができる。
【０００９】
リング状アクセサリーＸは、使用に際しては、２箇所ある係合具１２と被係合具２３との係合もしくは係合具２２と被係合具１３との係合のいずれかの部分をはずして、腕に巻き、外した部分を再び係合させることにより腕に装着する。腕に装着した状態では、図１に示すような状態となるので、一見すると第二係合具２４と第二被係合具２５とにより連結しているように見え、第二係合具２４と第二被係合具２５とからなる留め具をデザイン的な装飾として利用することができる。もっとも、実際に第二係合具２４と第二被係合具２５とを分離して、腕に巻いてからこれらを係合することで腕に装着することも可能であり、使用者は適宜好みの方を選択することができる。さらに、本体部１０の係合具１２と被係合具１３同士は連結できるので、装着補助部２０を外して本体部１０のみでリング状アクセサリーとして用いることもできる。
【００１０】
また、装着補助部２０は、係合具２２と被係合具２３により本体部に係合しているだけであるので、適宜異なるものと交換が可能である。図４（ａ）（ｂ）に装着補助部の変形例を示す。図4（ａ）に示す装着補助部３０は、第二係合具３４としてナスカン、第二被係合具３５として穴のあいた板が用いられている。装着補助部３０の第二係合具３４と第二被係合具３５とを係合するにはナスカンを開いて、穴に通し、ナスカンを閉じるという三手順が必要となる。図４（ｂ）に示す装着補助部４０は、係合具２２、被係合具２３同士をチェーン４１で連結し、当該チェーンに第二係合具４４として磁石からなる突起、第二被係合具４５として当該突起に吸着するように設けられる磁石からなる穴のあいた球体が設けられている。装着補助部４０の第二係合具４４と第二被係合具４５とを係合するには突起を穴に入れれば完了し、一手順で足りる。このようにデザインの異なる留め具を有する装着補助部２０を複数用意しておくことで、使用者は適宜本体部１０を共通にして留め具のデザインを変更することができる。
【００１１】
なお、上記装着補助部を構成する連結部は例示であり、連結部として分離と連結が自在に行える任意の留め具を採用することができる。また、本体部と装着補助具とを連結する留め具も分離と連結が自在に行える任意の留め具を採用することができる。さらに、上記実施形態では、ビーズを連結したブレスレッドを例示したが、ビーズアクセサリに限定されるものではなく、ネックレスなどリング状に形成されるアクセサリであれば種々のものに適用できる。
【符号の説明】
【００１２】
Ｘ      リング状アクセサリー
１０    本体部
１２    係合具
１３    被係合具
２０、３０、４０  装着補助部
２２    係合具
２３    被係合具
２４、３４、４４    第二係合具
２５、３５、４５    第二被係合具
【図１】
0003176921.tif 000003
【図２】
0003176921.tif 000004
【図３】
0003176921.tif 000005
【図４】
0003176921.tif 000006
【手続補正書】
【提出日】平成24年5月10日(2012.5.10)
【手続補正１】
【補正対象書類名】実用新案登録請求の範囲
【補正対象項目名】請求項２
【補正方法】変更
【補正の内容】
【請求項２】
前記係合具は内径が弾性体により可変に形成されたリング体から形成され、前記被係合
具は、前記弾性体を押し広げることで広がった内径を通る一方で、前記弾性体により小さ
くなった内径を通ることができないボール部と、当該ボール部を固定する前記リングを通
らない板状部とから形成される
請求項１に記載のリング状アクセサリー。